(57)【要約】【課題】特定の入賞口への入球と連動して複数の可変入賞装置を入球の容易な開状態とするための機械的な連動機構であって、その連動機構が、外部から力を加えて可変入賞装置を不正に開状態とすることができ難いように構成されたところ遊技機を提供する。【解決手段】遊技盤が、複数の可変入賞装置と少なくとも１つの特別入賞部とを有するとともに、特別入賞部に入球した遊技球を流下させる球通路と、２以上の可変入賞装置を遊技球の入球が容易な開状態とするように動作する連動機構とを具備し、この連動機構が、遊技盤の裏面と略平行且つ略水平の軸心を中心に回動可能に配設された軸部と、球通路を流下する遊技球と当接するように且つ軸部と一体的に回動するように軸部に設けられ、球通路にて遊技球と当接して初期位置から可変入賞装置開位置まで回動される球当接部とを含む。【選択図】      図１４
2008110094.tif 000002
【特許請求の範囲】
【請求項１】
各種入賞部を有する遊技盤に遊技球を流下させて、これら入賞部に遊技球を入球させるように遊技を行う遊技機であって、
上記遊技盤が、複数の可変入賞装置と少なくとも１つの特別入賞部とを有するとともに、
上記少なくとも１つの特別入賞部に入球した遊技球を流下させる球通路と、
上記各可変入賞装置の中の２以上の可変入賞装置を遊技球の入球が容易な開状態とするように動作する連動機構とを具備し、
上記連動機構が、少なくとも、
遊技盤の裏面と略平行且つ略水平の軸心を中心に回動可能に配設された前記可変入賞装置を作動させる少なくとも１本の軸部と、
上記球通路を流下する遊技球と当接するように且つ上記軸部と一体的に回動するように上記軸部に設けられ、上記球通路にて遊技球と当接して初期位置から可変入賞装置開位置まで回動される球当接部とを含むことを特徴とする遊技機。
【発明の詳細な説明】
【技術分野】
【０００１】
本発明は、パチンコ機等の弾球遊技機に代表される遊技機に関するものである。
【背景技術】
【０００２】
従来、パチンコ機等の弾球遊技機においては遊技の興趣を盛り上げるために、何らかの条件の下で入賞口への入球を容易とするように動作する機構を設けるのが通常であり、そのような機構の１つとして、いわゆるチューリップ（可変入賞装置）が知られている。チューリップは、遊技盤内を流下する遊技球を拾い受けるように両側に開く一対の可動翼を有し、可動翼が閉じた状態で遊技球が入球すると可動翼が開き、これにより入球の容易な開状態となるものである。
また、このようなチューリップを利用して更に遊技の興趣を盛り上げるために、特定の入賞口に入球すると遊技盤に設置された複数のチューリップが一斉に開状態となるようにされた遊技機も知られている（特許文献１）。
【０００３】
【特許文献１】特開２００６−２６２６０
【発明の開示】
【発明が解決しようとする課題】
【０００４】
しかしながら、上記従来の遊技機においては、機械的な連動機構により複数のチューリップを一斉に開状態とするものとしており、且つその連動機構が、遊技盤の裏面に垂直な軸を中心として腕状に回動する部材（リンクアーム）を含むことから、遊技機内部に侵入させたピアノ線等を上記部材に引っかけて動作させることが容易であり、これにより各チューリップを開状態とするような不正が行われ易いといった問題がある。
【０００５】
本発明は、上述した問題点を解決するためになされたものであり、その目的とするところは、特定の入賞口への入球と連動して複数の可変入賞装置を入球の容易な開状態とするための機械的な連動機構であって、その連動機構が、外部から力を加えて可変入賞装置を不正に開状態とすることができ難いように構成されたところの遊技機を提供することにある。
【課題を解決するための手段】
【０００６】
本発明に言う可変入賞装置とは、遊技球の入球確率が可変する装置を言う。例えば、実施例において開示したチューリップと呼ばれる可動翼を備えたものを言う。
本発明に言う連動機構とは、遊技球により可変入賞装置を可動させる駆動系を言うもので、実施例のようにリンクアームの枢支連結構造が基本であるが、その他に、カム機構、ギア機構等の機械要素を含む場合もある。
本発明に言う軸部は、実施例において中空の構造物（横断面視で円弧部の切欠き）を示しているが、中実の軸でもよいし、横断面が四角形でも三角形でもよいものである。
上記目的を達成するために、手段１においては、各種入賞部を有する遊技盤に遊技球を流下させて、これら入賞部に遊技球を入球させるように遊技を行う遊技機であって、上記遊技盤が、複数の可変入賞装置と少なくとも１つの特別入賞部とを有するとともに、上記少なくとも１つの特別入賞部に入球した遊技球を流下させる球通路と、上記各可変入賞装置の中の２以上の可変入賞装置を遊技球の入球が容易な開状態とするように動作する連動機構とを具備し、上記連動機構が、少なくとも、遊技盤の裏面と略平行且つ略水平の軸心を中心に回動可能に配設された前記可変入賞装置を作動させる少なくとも１本の軸部と、上記球通路を流下する遊技球と当接するように且つ上記軸部と一体的に回動するように上記軸部に設けられ、上記球通路にて遊技球と当接して初期位置から可変入賞装置開位置まで回動される球当接部とを含むことを特徴とする。
【０００７】
上記構成であれば、遊技球が特別入賞口に入球すると、該入球した遊技球が球通路を流下し、該球通路を流下する遊技球が連動機構の球当接部と当接し、該球当接部が遊技球により初期位置から可変入賞装置開位置まで回動されて連動機構が動作し、２以上の可変入賞装置が入球の容易な開状態となる。ここで、上記連動機構は、遊技盤裏面と略平行且つ略水平の軸心を中心に回動する軸部を含んでおり、これにより従来技術で設けられていた連動機構の構成部材から遊技盤裏面と垂直な軸を中心に回動する部材を排除することが可能となる。上記軸部は、その軸心を中心とする回転運動のみにより動作する部材であるために、遊技機内部にピアノ線等を侵入させ、これを軸部に引っかけて力を加えようとしても、軸部故に引っ掛かりが容易ではなく、従って、回動させることは殆ど不可能であり、連動機構を動作させることはできない。したがって、連動機構に外部から力を加えて複数の可変入賞装置を一斉に開状態とするといった不正行為を防止することが可能となる。
また、上記従来技術のように、遊技盤の裏面に垂直な軸を中心に腕状に回動する部材（リンクアーム）はその回動面積（作動に必要なスペース）が大きいために、連動機構の各部材と配線とが干渉して断線する等の不具合が発生する危険性が大きくなる。これに対して、手段１では、回動面積の大きな部材を排除することが可能であることから、上記不具合の発生を防止することができる。
【０００８】
手段２は、手段１において、
前記連動機構は、更に、前記球接当部に対する遊技球の接当により軸部の回動を許し、遊技球の通過によって前記軸部を原位置に復帰させる錘を前記球接当部に備えている、ことを特徴とする。
このように、錘を球接当部に備えるだけの簡単な構造でもって、軸部の原位置復帰を自動的に、且つ確実に成し得る利点がある。
勿論、この錘は、実施例に示すように球接当部と別体とするほか、球接当部自体の重心位置を所定位置にする重量バランスを採ることによっても、実質的に同じ作用を成すことができるものであるから、このような構造も錘の意味に含まれるものである。
【０００９】
手段３は、手段１または手段２において、
軸部の横断面がＵ字状に形成され、且つ、該軸部を裏面側から覆うカバー体を備えている、ことを特徴とする。
上記構成によれば、軸部が中実丸棒ではなく、横断面がＵ字状に形成されて内部に空隙を有していることから、所望の強度を確保し且つ部材を軽量化して、連動機構のスムーズな動作を確保することが可能となる。
そして、上記軸部をこのような横断面がＵ字状の中空構造としても、カバー体を備えたことで、外部から不正器具で軸部にアタックすることを阻止できる。
【００１０】
手段４は、手段３において、
前記カバー体に対応し、且つ、該カバー体と所定の間隔を隔てて、遊技板側に略平板状の支持部材が設けられて相互にネジ止めされ、前記軸部を前記カバー体と支持部材とで表裏側から覆うように構成したことを特徴とする。
このように、更に支持部材を設けることで、裏面側はカバー体で防止できることは勿論のこと、不正器具をカバー体と遊技盤との間で、遊技盤に沿わせて表側から侵入させようとしても、この支持部材の存在によって、前記軸部へのアタックを阻止することが出来る。
そして、これらのカバー体と支持部材とが所定の間隔を隔てて相互にネジ止めされて設けた構造とすることで、前記連動機構の支持構造として、堅固なものとしてその剛性を高めることができ、連動機構の作動を安定的に行うことができる。
【００１１】
手段５は、手段１乃至手段４において、
上記軸部が上下位置を異ならせて２以上設けられるとともに、各軸部が連動して回動するように各軸部を連結する連結部材を備え、前記各軸部に対応して、各可変入賞装置が配置されている、ことを特徴とする。
上記構成によれば、各軸部に対応して設けられた各可変入賞装置を同時に開状態とすることが可能となる。これにより、遊技盤における可変入賞装置の配置に、例えば上下位置を異ならせる等のバリエーションを与えることができる。
【００１２】
手段６は、手段５において、
前記カバー体が、前記連結部材の少なくとも一部を覆うカバー部分を一体的に備えている、ことを特徴とする。
このように、軸部を覆うカバー体に前記連結部材の少なくとも一部を覆うカバー部分を一体的に備えることによって、軸部よりも不正器具がアタックし易い連結部材に対する防御ができる。
【００１３】
手段７は、手段１乃至手段６において、
上記各軸部の少なくとも一方の端部に突起が上記軸部の軸心から偏心して設けられるとともに、上記連結部材に上記突起と係合する孔が設けられている、ことを特徴とする。
上記構成によれば、軸部端部の突起に連結部材の孔を係合させるだけの簡単な構造で、２以上の軸部を連動させるように連結することが可能となる。したがって、構成の簡素化が図れる。
【００１４】
手段８は、手段５乃至手段７において、
上記各軸部のそれぞれの両端部間の対応する位置で、且つ、前記カバー体と支持部材との間に位置させて、少なくとも一つの突起が上記軸部の軸心から偏心し、且つ、該軸部の軸心と平行にそれぞれ設けられるとともに、上記連結部材の両端部に上記突起と係合する孔がそれぞれ設けられ、該孔に前記突起を係合させて各軸部を相互に連動連結していることを特徴とする。
このようにして連結部材を相互に連結することで、連結部材をカバー体と支持部材との間に位置させることができて、軸部よりも不正器具がアタックし易い連結部材に対する不正をより確実に防止できる。
【００１５】
手段９、手段７及び手段８において、
上記孔が水平方向に長い長孔である、ことを特徴とする。
上記構成によれば、軸部の突起と連結部材の孔との係合位置が水平方向に適宜移動し得ることにより、横断面がＵ字状とした軸部の支持機構として、真円の軸部とは異なる余裕のある軸支構造が採られ、その軸支に遊びが大きく採られることとなって、軸部の回転軸心がブレても、軸部の突起が長孔内でスライドして回転軸心のブレを吸収して回動を伝達させることが出来、以って、上下に配置された各軸部をスムーズに連動して回動させることが可能となる。
【００１６】
手段１０は、手段３〜手段９において、
上記カバー体に、上記軸部を支持する軸受の一部を成す溝状部分が設けられている、ことを特徴とする。
上記構成によれば、軸部を覆うためのカバー体を軸部の支持機構として兼用することが可能となり、部品数を削減することができる。したがって、構成の簡素化が図れる。
【００１７】
手段１１は、手段１０において、
上記球当接部が、前記カバー体と支持部材との間隔の長さよりも長く前記軸部の半径方向に突出するよう形成され、前記カバー体が、前記球当接部の存する位置において、所定の隙間を空けて配設される分割体から構成されている、ことを特徴とする。
遊技球を受けて軸部を回動させて各可変入賞装置を可動させるに必要なモーメントを容易に生じさせるためには所定の長さに半径方向に突出させる必要があり（ここに錘をつける）、他方、遊技機の裏面をコンパクトなものにするべく連動機構を出来るだけ薄い前記カバー体と支持部材との間のスペースに収納したいという反目する要望があるが、上記構成によれば、これらの要求を、カバー体を分割体とする簡単な構造で満たすことができながら軸部に対する不正防止を図ることができるのである。
【００１８】
手段１２は、手段１１において、
上記各分割体の隙間を介して回動する球当接部を囲うように覆う第２カバー体を備えた、ことを特徴とする。
上記構成によれば、第２カバー体により球当接部が囲われるので、この球当接部に外部から力を加えて、各可変入賞装置を開状態とするような不正行為を防止することができる。したがって、不正行為をより完全に防止することができる。
【００１９】
手段１３は、手段１〜１２において、
上記各可変入賞装置が、該可変入賞装置の状態を上記開状態と遊技球の入球が困難な閉状態との間で切り替えるように動作する可動翼と、遊技盤裏面に該裏面と略平行な軸を中心に閉位置と開位置との間で回動可能に設けられ、上記閉位置から上記開位置に回動するときに上記可動翼と当接して上記可変入賞装置を上記開状態とするように上記可動翼を動作させる一方、上記開位置から上記閉位置に回動するときに上記可動翼と当接して上記可変入賞装置を上記閉状態とするように上記可動翼を動作させる翼開閉具とを有するとともに、上記連動機構が、上記軸部と一体的に回動するように上記軸部の径方向に突設され、上記球当接部が上記初期位置から上記可変入賞装置開位置に回動したときに上記翼開閉具と当接して上記翼作動具を上記閉位置から上記開位置に回動させる翼開閉具当接部を有する、ことを特徴とする。
【００２０】
手段１４は、手段１３において、
上記各軸部の少なくとも１つは、２以上の翼開閉具当接部が設けられている、ことを特徴とする。
上記構成によれば、１つの軸部により複数の可変入賞装置を開状態とすることが可能となり、特定の入賞部への入賞によって多数の可変入賞装置を一斉に開状態とすることができる。
【００２１】
手段１５は、手段１乃至手段１４において、
前記連動機構の少なくとも１本の軸部よりも下方位置において、球通路に少なくとも一つの可変入賞装置を臨ませて設け、該可変入賞装置の翼開閉具の一部が前記球通路内に位置され、特別入賞部に入球した遊技球により開状態に作動されるように構成されていることを特徴とする。
このように、連動機構以外に、特別入賞部に入球した遊技球により作動される可変入賞装置を、球通路を設けることで、複数配置する可変入賞装置の配置（上下、左右変位）のバリエーションを種々選択できると共に連動機構により一度に開き動作される可変入賞装置と、この可変入賞装置の開き動作に僅かにタイムラグを持たせることができ、複数可変入賞装置の動作の趣向に変化を持たせることもできる。
【発明の効果】
【００２２】
本発明は、特定の入賞部への入球と連動して複数の可変入賞装置を、入球の容易な開状態とするための機械的な連動機構を設けた場合に、上記連動機構に外部から力が加えられて各可変入賞装置が不正に開状態とされるのを防止することができるといった優れた効果を奏する。
【発明を実施するための最良の形態】
【００２３】
〔第１の形態〕
以下、本発明の最良の形態について、図面を参照して詳述する。但し、本発明の実施に際しては、本発明の主旨から逸脱しない限り適宜部分改変可能である。
【００２４】
〔第１の形態〕
以下、本発明の最良の形態について、図面を参照して詳述する。但し、本発明の実施に際しては、本発明の主旨から逸脱しない限り適宜部分改変可能である。
【００２５】
（パチンコ機の正面構成）
図１は本実施形態のパチンコ機１の正面図であり、図２は外枠２に対して内枠５と前面枠セット３と、セット板４００を開放した状態を示す斜視図である。（但し、図２では便宜上、遊技盤４面上の遊技領城内の構成〔釘、センター役物等〕を空白で示しているが、アウト口３４は描いてある）。
【００２６】
図１，２に示すように、パチンコ機１は、当該パチンコ機１の外殻を形成する外枠２と、この外枠２の一側部に開閉可能に支持された内枠５とを備えている。外枠２は、木製の板材により全体として矩形状に構成され、小ネジ等の離脱可能な締結具により各板材が組み付けられている。なお、外枠２は、軽量化を図るために、樹脂やアルミニウム等の軽金属により構成されていてもよい。内枠５の開閉軸線はパチンコ機１の正面からみて遊技球発射ハンドル１８の設置箇所の反対側（図１のパチンコ機１の左側）で上下に延びるように設定されており、この開閉軸線を軸心にして内枠５が前方側に十分に開放できるようになっている。また、内枠５は合成樹脂、具体的にはＡＢＳ（アクリロニトリルーブタジエンースチレン）樹脂から成る。こうすることで、粘性が高く衝撃に強くでき、低コストで製造できるという利点が発揮される。
【００２７】
前面枠セット３及び内枠５の構成を、図１〜図４を用いて詳細に説明する。図３は、パチンコ機１の外枠２から前面枠セット３及び遊技盤４を取り外した状態を示す背面図であり、図４は、その背面からの斜視図である。
【００２８】
前面枠セット３は、大別すると、その最下部に設けられた球受皿部分と、この球受皿部分よりも上側の範囲に形成される窓枠部分と、を備えている。内枠５は、左側の上下方向の開閉軸線を軸心にして外枠２に対して開閉自在に取り付けられ、後述する樹脂ベース２０を備え、この樹脂ベース２０の前側に前面枠セット３が取り付けられ、後側に遊技盤４が取り付けられている。
【００２９】
上記球受皿部分は、前面枠セット３の下側部分に対してネジ等の締結具により固定されている。この球受皿部分の前面側には、下皿１４と球抜きレバー１７と遊技球発射ハンドル１８と灰皿６とが設けられている。また、球受皿としての下皿１４は、後述の上皿１９が満タンになった場合等に排出口１６より排出される遊技球を停留する機能を有している。球抜きレバー１７は、下皿１４内の遊技球を抜くためのものであり、この球抜きレバー１７を図１で左側に移動させることにより、下皿１４の底面の所定箇所が開口され、下皿１４内に停留された遊技球を下皿１４の底面の開口部分を通して遊技者の持球貯留箱（ドル箱）に排出することができる。
【００３０】
そして、遊技球発射ハンドル１８は、下皿１４よりも右方で手前側に突出するように配設されている。遊技者による遊技球発射ハンドル１８の操作に応じて、遊技球発射装置３８（図２及び図３）によって遊技球が遊技盤４の方へ打ち込まれるようになっている。遊技球発射装置３８は、発射ソレノイドなどで構成されている。音出力口２４は、前面枠セット３の左右上端部位置に設けられたスピーカ（図示略）からの音を出力するための出力口である。また、灰皿６は下皿１４の左方に設けられている。灰皿６は左右方向（水平方向）の軸線を軸心にして回動（例えば前方側に向けて前回り）するように設けられている。
【００３１】
なお、前面枠セット３は、その大部分が内枠５と同様、ＡＢＳ樹脂にて成形されている。こうすることで、粘性が高く衝撃に強くでき、低コストで製造できる。特に、下皿１４を形成する表面層と下皿１４の奥方の前面パネル部分とを難燃性のＡＢＳ樹脂にて成形している。このため、この部分は燃えにくくなっている。
【００３２】
また、前面枠セット３は、図２に示すように、内枠５に対して開閉可能に取り付けられており、内枠５と同様、パチンコ機１の正面からみて左側に上下に延びる開閉軸線を軸心にして前方側に開放できるようになっている。しかも前面枠セット３は内枠５の外側壁（リブ）１２ｂ内に嵌まり込むようにして取り付けられている。つまり、この前面枠セット３の側面の少なくとも一部が内枠５の外側壁（リブ）１２ｂ内に嵌まり込むようにして取り付けられているので、内枠５と前面枠セット３との隙間から異物（針状あるいは薄板状等のものであって、具体的には針金、ピアノ線、セルロイド板等）を差し入れるなどの不正行為を防止できるようになっている。また、前面枠セット３は、内枠５と同様に、合成樹脂、具体的にはＡＢＳ樹脂により構成されているので、粘性が高く衝撃に強くでき、低コストで製造できる。
【００３３】
一方、上記前面枠セット３の球受け皿部分のうち上述の下皿１４の上方位置には、遊技球の受皿としての上皿１９（図１参照）が前面枠セット３と一体的に設けられている。この上皿１９は、遊技球を一旦貯留し、一列に整列させながら遊技球発射装置３８の方へ導出するための球受皿である。この上皿１９も下皿１４と同様、表面層が難燃性のＡＢＳ樹脂にて成形される構成となっている。
【００３４】
図３、図４に示すように、内枠５は、外形が矩形状の樹脂ベース２０を主体に構成されており、樹脂ベース２０の中央部には略円形状の窓孔２１が形成されている。
そして、樹脂ベース２０の後側には遊技盤４が着脱可能に装着されている。遊技盤４は四角形状の合板よりなり、その周縁部が樹脂ベース２０（内枠５）の裏側に当接した状態で取着されている。従って、遊技盤４の前面部の略中央部分が樹脂ベース２０の窓孔２１を通じて内枠５の前面側に露出した状態となっている（図２では遊技盤４のアウト口３４が示されている）。
そして、ここでは、遊技盤４の前記内枠５の外枠２に対する枢着部（パチンコ機１の正面からみて左側に上下に延びる開閉軸線を軸心にした枢着）に近いコーナー（隅）が、略三角形状に角落ち（切り欠き）されている。
【００３５】
また、遊技盤４には、図5に示すように、遊技球発射装置３８から発射された遊技球を遊技盤４上部へ案内するためのガイドレール５０が取り付けられており、遊技球発射ハンドル１８の回動操作に伴い発射された遊技球はガイドレール５０を通じて所定の遊技領域に案内されるようになっている。ガイドレール５０は、遊技球の飛翔をより滑らかなものとするべく、つまり遊技球の摩擦抵抗を少なくするべく、長尺状をなすステンレス製の金属帯としての摺動プレートにて構成されており、内外二重のリング状をなすように形成された内レール５１と外レール５２とを有する。なお、ガイドレール５０は、樹脂成型品でもよく、フッ素樹脂を添加して成形することが好ましく、これによって遊技球の摩擦抵抗を少なくできる。内レール５１は上方の約１／４ほどを除いて略円環状に形成され、一部（主に左側部）か内レール５１に向かい合うようにして外レール５２が形成されている。かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤４との当接面を有した溝状、すなわち手前側を開放した溝状に形成されている。
【００３６】
内レール５１の先端部分には戻り球防止部材５３が取着されている。これにより、一旦、内レール５１および外レール５２間の球案内通路から遊技盤４の上部へと案内された遊技球が再度球案内通路内に戻ってしまうといった事態が防止されるようになっている。また、内枠５の外レール５２延長上には、遊技球の最大飛翔部分に対応する位置に返しゴム５４が取着されている。従って、所定以上の勢いで発射された遊技球は、返しゴム５４に当たって跳ね返されるようになっている。
【００３７】
遊技盤４の右下隅部は、証紙（例えば製造番号が記載されている）等のシールやプレートを貼着するためのスペースとなっている。遊技盤４に証紙等のシールを貼着することで、遊技盤４と証紙との一義性を持たせることができる。
【００３８】
次に、遊技領域について説明する。遊技領域は、ガイドレール５０の内周部（内外レール）により略円形状に区画形成されている。本実施形態では、遊技領域を、パチンコ機１の正面から見て、内レール５１および外レール５２によって囲まれる領域のうち、内外レール５１，５２の並行部分である誘導レールの領域を除いた領域としている。従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領城の下側限界位置は遊技盤４の下端位置によって特定される。また、遊技領域の上側限界位置は外レール５２によって特定される。
【００３９】
前記樹脂ベース２０において、窓孔２１（遊技盤４）の下方には、遊技球発射装置３８より発射された直後に遊技球を案内するための発射レールが取り付けられている。発射レールは、その後方の金属板を介して樹脂ベース２０に取付固定されており、所定の発射角度（打ち出し角度）にて直線的に延びるよう構成されている。従って、遊技球発射ハンドル１８の回動操作に伴い発射された遊技球は、まずは発射レールに沿って斜め上方に打ち出され、その後前述した通りガイドレール５０の球案内通路を通じて所定の遊技領域に案内されるようになっている。
【００４０】
また、発射レールとガイドレール５０（誘導レール）との間には所定間隔の隙間があり、この隙間より下方にファール球通路が形成されている。従って、仮に、遊技球発射装置３８から発射された遊技球が戻り球防止部材５３まで至らずファール球として誘導レール内を逆戻りする場合には、そのファール球がファール球通路を介して下皿１４に排出される。
【００４１】
なお、詳しい図面の開示は省略するが、遊技球発射装置３８には、前面枠セット３側の球出口（上皿１９の最下流部より通じる球出口）から遊技球が１つずつ供給される。また、遊技球発射装置３８には打球槌が設けられ、軸部を中心とする打球槌の回動に伴い遊技球が発射される。
【００４２】
図２中の符号４９は上皿１９に通ずる排出口であり、この上皿排出口４９を介して遊技球が上皿１９に排出される。この上皿排出口４９には、略水平方向の回転軸を軸心として略水平状態と略垂直状態とに変位する開閉式のシャッタが取り付けられている、前面枠セット３を内枠５から開放した状能（図２の状態）では、バネ等の付勢力によりシャッタが略水平状態から略垂直状態となり、上皿排出口４９から遊技球がこぼれ落ちないようにこの上皿排出口４９を閉鎖する。また、前面枠セット３を閉鎖した状態では、当該前面枠セット３の裏面に設けられた球通路樋６９（図２参照）によりシャッタが押し開けられて略水平状態になり、上皿排出口４９の方へ排出された遊技球はもれなく球通路樋６９を通って上皿１９に排出されるようになる。従って、本パチンコ機１においては、前面枠セット３の開放に際し払出通路内等の遊技球がパチンコ機１外にこぼれ落ちてしまうといった不都合が防止できるようになっている。
【００４３】
図１に示すように、樹脂ベース２０には、窓孔２１の右下部に楕円形状の小窓２３が設けられている。従って、遊技盤４の右下隅部に張られた証紙などのシール（図４のＳ１）は、この小窓２３を通じて視認できるようになっている。また、この小窓２３からシール等を貼り付けることも可能となっている。
【００４４】
また、図４に示すように、内枠５の左端部には、前面枠セット３の支持機構として、支持金具８１，８２が取り付けられている。上側の支持金具８１には図の手前側に切欠を有する支持孔８３が設けられ、下側の支持金具８２には鉛直方向に突出した突起軸（図外）８４が設けられている。
【００４５】
図２に示すように、内枠５の上側には、前面枠セット３が内枠５に対して開かれたことを検出する前面枠セット開検出スイッチ９０が設けられている。前面枠セット３が開かれると、前面枠セット開検出スイッチ９０からホール内（パテンコ店内）用コンピュータヘ出力されるようになっている。また、前面枠セット３が閉じられると、前面枠セット３の金属製の補強板が、内枠５の一対の金具に接触するようになっており、前面枠セット３のアースが確保されている。
【００４６】
ここで、前述した前面枠セット３について、図１，図２を参照しつつより詳細に説明する。前面枠セット３には前記遊技領域のほとんどを外部から視認することができるよう略楕円形状の窓部２５が形成されている。詳しくは、窓部２５は、その左右側の略中央部が、上下側に比べて比較的緩やかに湾曲した形状となっている。なお、前記略中央部が直線状になるようにしてもよい。
【００４７】
また、パチンコ機１の正面から見て窓部２５の左端と前面枠セット３の左端との間の最短距離（いわゆる左側部フレーム部分の左右幅）、すなわち開閉軸線側のフレーム幅は、前面枠セット３自体の強度および支持強度を高めるために比較的大きく設定されている。この場合、図１および図５を相互に比較すると明らかなように、前面枠セット３が閉じられた状態において、外レール５２の左端部はもちろん、内レール５１の左端部も前記左側部フレーム部分によって覆い隠される。つまり、誘導レールの少なくとも一部が、パチンコ機１の正面からみて前面枠セット３の左側部フレーム部分と重複し覆い隠される。このように遊技球が一時的に視認困難となったとしても、それは、遊技球が遊技領域に案内される通過点に過ぎず、遊技者が主として遊技を楽しむ遊技領城において遊技球が視認困難となるわけではない。そのため、実際の遊技に際しては何ら支障が生じない。また、このような支障が生じない一方で、前面枠セット３の十分な強度および支持強度が確保可能となっている。
【００４８】
加えて、前面枠セット３にはその周囲（例えばコーナー部分）に、演出装置７００の一つとして、各種ランプ等の発光手段が設けられている。これら発光手段は、大当たり遊技状態時や羽根開放時等における遊技状態の変化に応じて点灯、点滅のように発光態様が変更制御され遊技中の演出効果を高める役割を果たすものである。例えば、窓部２５の周縁には、ＬＥＤ等の発光手段を内蔵した電飾部１５３が左右対称に設けられ、パチンコ機１の最上部には、同じくＬＥＤ等の発光手段を内蔵した中央電飾部１３１が設けられている。本パチンコ機１では、中央電飾部１３１が大当たりランプとして機能し、大当たり遊技状態時に点灯や点滅を行うことにより、大当たり遊技状態中であることを報知する。さらに、上皿１９周りにも、同じくＬＥＤ等の発光手段を内蔵した上皿電飾部７が設けられている。その他、中央電飾部１３１の左右側方には、賞球払出し中に点灯する賞球ランプ１３２が設けられている。また、電飾部１５３の下端部に隣接するようにして、内枠５表面や遊技盤４表面等の一部を視認できるよう透明樹脂からなる小窓２３が設けられている。この小窓２３は平面状とし、遊技盤４の右下隅部に貼り付けられた証紙などを、小窓２３の当該平面状箇所から機械で好適に読み取ることができる。更に、遊技領域内にも、役物用、入賞口用等の電飾ランプ、ＬＥＤが存在するが、こうした発光手段も演出装置となる。
【００４９】
また、窓部２５の下方には貸球操作部が配設されており、貸球操作部には球貸しボタンと、返却ボタンと、度数表示部とが設けられている。パチンコ機１の側方に配置された図示しないカードユニット（球貸しユニット）に紙幣やカード等を投入した状態で貸球操作部が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。度数表示部はカード等の残額情報を表示するものである。なお、カードユニットを介さずに球貸し装置部から上皿に遊技球が直接貸し出されるパチンコ機、いわゆる現金機では貸球操作部が不要となる。故に、貸球操作部の設置部分に、飾りシール等が付されるようになっている。これにより、カードユニットを用いたパチンコ機と現金機との貸球操作部の共通化が図れる。
【００５０】
また、図１に示すように、前面枠セット３の左側を前面側（図１の紙面手前側）に必要以上に突出しないようにしている。こうすることで、パチンコ機１の左側に設けられたカードサンドの球貸し装置から直接に上皿１９に遊技球を貸し出す際に、当該球貸し装置のノーズ部（いわゆる象の鼻）の先端排出口を好適に上皿１９の上方位置に位置させることができ、当該球貸し装置のノーズ部から貸し出される遊技球を上皿１９で受けることかできる。
【００５１】
次に、図５を用いて遊技盤４の構成を説明する。図５は遊技盤４の構成を示す正面図である。
遊技盤４は、遊技球が入球すると所定数の賞品球が払い出される等の何らかの利益が遊技者に付与される各種入賞部としての、天入賞口２６、遊技盤４の中段やや上寄り及び下段にそれぞれ５つずつ浅いＵ字状に並べて配された計１０個の可変入賞装置２７（第１可変入賞装置２７１〜第１０可変入賞装置２７１０）、上記遊技盤４の中段やや上寄りの５つの可変入賞装置２７（第１可変入賞装置２７１〜第５可変入賞装置２７５）と対応して、これらの可変入賞装置２７よりもやや上に配された第１特別入賞口２８及び遊技盤４の下段の５つの可変入賞装置２７（第６可変入賞装置２７６〜第１０可変入賞装置２７１０）と対応して、これらの可変入賞装置２７よりもやや上に配された第２特別入賞口２９等を備えている。これらの天入賞口２６、可変入賞装置２７、第１特別入賞口２８、第２特別入賞口２９等は、遊技盤４における、ルータ加工によって形成された各貫通穴にそれぞれに配設され、遊技盤４前面側から木ネジ等により取り付けられている。前述の天入賞口２６及び可変入賞装置２７に遊技球が入球し、当該入球が後述する検出スイッチ（入賞口スイッチ、カウントスイッチ、作動口スイッチ等）により検出され、この検出スイッチの出力に基づいて、上皿１９（または下皿１４）へ所定数の賞品球が払い出される。その他に、遊技盤４にはアウト口３４が設けられており、各種入賞口等に入球しなかった遊技球はこのアウト口３４を通って図示しない球排出路の方へと案内されるようになっている。
【００５２】
ここで、第１特別入賞口２８は、これに入球すると遊技盤４の中段やや上寄りに設けられた第１可変入賞装置２７１〜第５可変入賞装置２７５の全てを開状態とするようにされた入賞口であり、第２特別入賞口２９は、これに入球すると遊技盤４の下段に設けられた第６可変入賞装置２７６〜第１０可変入賞装置２７１０の全てを開状態とするようにされた入賞口である。
【００５３】
また、第１可変入賞装置２７１〜第５可変入賞装置２７５の中では、両端の２つの可変入賞装置（第１可変入賞装置２７１、第５可変入賞装置２７５）が同じ高さに配され、真ん中の可変入賞装置（第３可変入賞装置２７３）を間に挟む両脇の２つの可変入賞装置（第２可変入賞装置２７２、第４可変入賞装置２７４）が上記２つの可変入賞装置よりも低い位置で同じ高さに配され、真ん中の可変入賞装置（第３可変入賞装置２７３）が上記４つの可変入賞装置よりも低い位置に単独で配されている。
【００５４】
同様に、第６可変入賞装置２７６〜第１０可変入賞装置２７１０の中では、両端の２つの可変入賞装置（第６可変入賞装置２７６、第１０可変入賞装置２７１０）が同じ高さに配され、真ん中の可変入賞装置（第８可変入賞装置２７８）を間に挟む両脇の２つの可変入賞装置（第７可変入賞装置２７７、第９可変入賞装置２７９）が上記２つの可変入賞装置よりも低い位置で同じ高さに配され、真ん中の可変入賞装置（第８可変入賞装置２７８）が上記４つの可変入賞装置よりも低い位置に単独で配されている。
【００５５】
また、遊技盤４には、遊技球の落下方向を適宜分散、調整等するために多数の釘が植設されているとともに、各種部材（投物）が配設されている。
【００５６】
すなわち、天入賞口２６の上方には、５本の釘１０１が遊技球の通過可能な間隔で横に並べて配され、その下方且つ天入賞口２６の直上には、天入賞口２６への遊技球の入り口を規定するように２本の釘１０２、１０３が遊技球の通過可能な間隔で横に並べて配され、各釘１０２、１０３の下に４本ずつの１纏まりの釘１０４、１０５がハの字状に並べて配されている。
【００５７】
第１特別入賞口２８の直上には、第１特別入賞口２８への遊技球の入り口を規定するように２本の釘１１４、１１５が遊技球の通過可能な間隔で横に並べて配されている。
遊技盤４の中段やや上よりの５つの可変入賞装置２７（第１可変入賞装置２７１〜第５可変入賞装置２７５）の中で、中央の第３可変入賞装置２７３を除いた第１、第２、第４及び第５可変入賞装置２７１、２７２、２７４、２７５のそれぞれの上方には、頂上に遊技球の通過可能な隙間を空けて５本ずつの１纏まりの釘１０６、１０７がハの字状に並べて配され、その下方且つ各可変入賞装置２７の直上には、各可変入賞装置２７の作動入賞口２７ａへの遊技球の入り口を規定するように２本の釘１０８、１０９が遊技球の通過可能な間隔で斜めに並べて配され、この２本の釘１０８、１０９のうち、上側の釘１０８から斜め下に並べて２本の１纏まりの釘１１０が当該可変入賞装置２７の可動翼３１に向けて遊技球を流すように配され、上記ハの字状の５本ずつの１纏まりの釘１０６、１０７の下方の延長上に、遊技球の通過可能な隙間を空けて４本ずつの１纏まりの釘１１１、１１２が当該可変入賞装置２７の可動翼３１に向けて遊技球を流すように配されている。
【００５８】
遊技盤４の中段やや上よりの５つの可変入賞装置２７（第１可変入賞装置２７１〜第５可変入賞装置２７５）の中で、中央の第３可変入賞装置２７３の直上には、当該可変入賞装置２７の作動入賞口２７ａへの遊技球の入り口を規定するように３本の釘１１３が遊技球の通過可能な間隔で三角形をなすように配されている。
【００５９】
第２特別入賞口２９の上方には、頂上に遊技球の１つ通る隙間を空けて３本ずつの１纏まりの釘１１６、１１７がハの字状に並べて配され、その下方且つ第２特別入賞口２９の直上には、第２特別入賞口２９への遊技球の入り口を規定するように２本の釘１１８、１１９が遊技球の通過可能な間隔で横に並べて配されている。
【００６０】
遊技盤４の下段の５つの可変入賞装置２７（第６可変入賞装置２７６〜第１０可変入賞装置２７１０）の中で、両端の第６及び第１０可変入賞装置２７６、２７１０のそれぞれの上方には、遊技球の通過可能な間隔で３段に並べて計１５本の釘１２０が配され、各可変入賞装置２７の直上には、各可変入賞装置２７の作動入賞口２７ａへの遊技球の入り口を規定するように３本の釘１２１が遊技球の通過可能な間隔で三角形をなすように配されている。
【００６１】
遊技盤４の下段の５つの可変入賞装置２７（第６可変入賞装置２７６〜第１０可変入賞装置２７１０）の中で、中央の第３可変入賞装置２７３の両脇の第７及び第９可変入賞装置２７７、２７９のそれぞれの上方には、頂上に遊技球の通過可能な隙間を空けて８本ずつの１纏まりの釘１２２、１２３がハの字状に並べて配され、その下方且つ第７及び第９可変入賞装置２７７、２７９の直上には、各可変入賞装置２７の作動入賞口２７ａへの遊技球の入り口を規定するように２本の釘１２４、１２５が遊技球の通過可能な間隔で横に並べて配されている。
【００６２】
遊技盤４の下段の５つの可変入賞装置２７（第６可変入賞装置２７６〜第１０可変入賞装置２７１０）の中で、中央の第８可変入賞装置２７８の直上には、当該可変入賞装置２７の作動入賞口２７ａへの遊技球の入り口を規定するように３本の釘１２６が遊技球の通過可能な間隔で三角形をなすように配されている。
【００６３】
図６〜図１３に可変入賞装置２７の詳細を示す。図６は、開状態の可変入賞装置の斜視図、図７は、開状態の可変入賞装置の正面図（ａ）及び側面図（ｂ）である。図８は、閉状態の可変入賞装置の斜視図、図９は閉状態の可変入賞装置の正面図（ａ）及び側面図（ｂ）である。図１０は、可変入賞装置の分解図である。
【００６４】
図６〜図９に示すように、可変入賞装置２７は、遊技球の入球が容易な開状態と、この開状態よりも遊技球の入球が困難な閉状態との２つの状態を取り得るように構成された、いわゆるチューリップと称される入賞部の一種であり、一対の可動翼３１、翼開閉具３２及び作動入賞口２７ａを有する。作動入賞口２７ａは、遊技球が入球すると所定数の賞品球の払い出しを行うとともに、当該可変入賞装置２７を開状態とする入賞口である。
【００６５】
一対の可動翼３１は、遊技盤４前面と直交する軸を中心に回動して遊技盤４を流下する遊技球を拾い受けるように両側に開き、これにより可変入賞装置２７を開状態とする部材である。この開状態で可動翼３１により遊技球が拾い受けられると所定数の賞品球の払い出しを行うとともに可動翼３１は閉じられ、これにより可変入賞装置２７は閉状態に移行する。
【００６６】
すなわち、可変入賞装置２７は、閉状態においては作動入賞口２７ａのみからの入球が可能であり、開状態においては作動入賞口２７ａと開かれた可動翼３１とによる入球が可能である。
【００６７】
図１０に示すように、可変入賞装置２７は、可動翼取付部分２７A、翼開閉具取付部分２７B、検出スイッチ取付部分２７C等を有する本体２７ｂを具備し、この本体２７ｂの前面に、各可動翼３１を回動可能に支持するための支軸２７ｃ１を有する前側カバー部材２７ｃを組み付けるとともに、本体２７ｂの裏面に、作動入賞口２７ａを構成する球通過孔２７ｄ１を有する球検出スイッチ２７ｄ、翼開閉具３２、及びＬＥＤ（Light Emitting Diode：発光ダイオード）を内蔵する発光部材２７ｅを組み付けて構成されている。ここで、発光部材２７ｅは、上記ＬＥＤに電力を供給する電力コードが接続される電力ソケット２７ｅ１を有している。
【００６８】
図１１に、翼開閉具の詳細を示す。翼開閉具３２は、板状の本体３２ａと、該本体３２ａのほぼ中央に設けられ、翼開閉具３２を、可変入賞装置２７の本体２７ｂに、遊技盤４の裏面と平行な水平軸を中心に回動可能に支持させるための支軸３２ｂ（図１０）が挿通される軸孔３２ｃと、本体３２ａの先端部に設けた一対の翼作動爪３２ｄと、軸孔３２ｃよりも後方の本体３２ａの上部に設けられ側方に傾斜する斜面３２ｅ１及びその後方に立設された板状部材３２ｅ２からなる第１球当接部３２ｅと、本体３２ａの一側端に沿って下向きに立設された連結板部３２ｆにより本体３２ａに連結されて本体３２ａの下方に本体３２ａと平行に設けられた板状部材３２ｇ１及びその前端部に設けられた球受け爪３２ｇ２からなる第２球当接部３２ｇと、本体３２ａの後端部から後方に突設された開放レバー３２ｈとを具備する。
【００６９】
以下、図１２及び図１３を参照して、翼開閉具の動作を説明する。図１２は、可変入賞装置から可動翼及び翼開閉具のみを取り出した、開状態（ａ）及び閉状態（ｂ）の斜視図、図１３は、可変入賞装置の開状態（ａ）及び閉状態（ｂ）の横断面図である。
図１２及び図１３に示すように、作動入賞口２７ａに遊技球Ｗが入球すると、入球した遊技球Ｗが可変入賞装置２７内部の通路を通って翼開閉具３２の第１球当接部３２ｅと当接し、これにより翼開閉具３２が支軸３２ｂの周りに前部が上方向に回動する。このとき、各翼作動爪３２ｄが各可動翼３１の爪係合部３１ａ（図１０）とそれぞれ係合して、各可動翼３１が両側に寝るように開く。
【００７０】
また、可変入賞装置２７の開状態（図１２（ａ）、図１３（ａ））にて両側に開かれた各可動翼３１により遊技球Ｗが拾い受けられて入球すると、入球した遊技球Ｗが翼開閉具３２の第２球当接部３２ｇと当接し、これにより翼開閉具３２が支軸３２ｂの周りに前部が下方向に回動する。このとき、各翼作動爪３２ｄが各可動翼３１の下端部３１ｂとそれぞれ係合して、各可動翼３１が立った状態に閉じる。
すなわち、翼開閉具３２は、本体３２ａ及び開放レバー３２ｈが略水平となる閉位置と、開放レバー３２ｈが押下されて本体３２ａが後ろ向きに傾斜する開位置との範囲で回動可能、且つ閉位置から開位置に回動するときに可動翼３１を開く一方、開位置から閉位置に回動するときに可動翼３１を閉じるように可変入賞装置２７に設けられるものとされている。
【００７１】
（遊技盤４の裏面側の構造）
以下、遊技盤４の裏面側の構造を説明する。
図１４に、遊技盤裏面側の分解図を示す。図１５に、連動機構の球当接部材が初期位置にあり且つカバー箱体を取り外した斜視図、図１６に、連動機構の球当接部材が可動翼開位置（可変入賞装置開位置）にあり且つカバー箱体を取り外した斜視図を示す。図１７に、連動機構の球当接部材が初期位置にあり且つカバー体を取り外した斜視図、図１８に、連動機構の球当接部材が可動翼開位置にあり且つカバー体を取り外した斜視図、図１９に、連動機構の球当接部材が初期位置にあり且つカバー体を取り外した背面図を示す。なお、図１５〜図１９においては、第１特別入賞口２８の遊技盤裏面側の構造及びそれへの入球と連動して第１〜第５可変入賞装置２７１〜２７５を開状態とする構造のみを示しており、第２特別入賞口２９の遊技盤裏面側の構造及びそれへの入球と連動して第６〜第１０可変入賞装置２７６〜２７１０を開状態とする構造は、上記構造と同様であり重複を避けるために、図示省略している。したがって、以下の説明においても前者の構造についてのみ説明する。また、図１５〜図１９においては、錘６６は、図示省略している。
【００７２】
遊技盤４は、厚手のベニヤ板からなる台板１１を有し、その裏面側には裏板材２２を設け、その上層に支持部材３０、連動機構３３、カバー体４３及び覆い部材６７を設けて構成されている。
【００７３】
台板１１は、天入賞口２６、第１特別入賞口２８及び第２特別入賞口２９に入球した遊技球をそれぞれ台板１１の裏面側に送るための天入賞口孔、第１特別入賞口孔４７及び第２特別入賞口孔を有するとともに、各可変入賞装置２７の後部が挿通される可変入賞装置孔５６を有する。
【００７４】
裏板材２２は、図示しない天入賞口孔を介して裏面側に送られた遊技球を流下させる天入賞口球通路５７、各可変入賞装置２７に入球した遊技球を流下させる可変入賞装置球通路５８、第１特別入賞口孔４７を介して裏面側に送られた遊技球を流下させるための第１特別入賞口球通路（特許請求の範囲にいう球通路）５９とを有する。ここで、第１特別入賞口球通路５９には、連動機構３３の球当接部材６３を第１特別入賞口球通路５９内部に差し入れるための球当接部材差入口５９ａが穿設されている。また、第１特別入賞口球通路５９は、球当接部材差入口５９ａの下流側に、第１可変入賞装置２７１〜第５可変入賞装置２７５の中で最も下に単独で配置されている第３可変入賞装置２７３を開状態とするように該第３可変入賞装置２７３の翼開閉具３２の第１球当接部３２ｅまで遊技球を導く球誘導路５９ｂを有している。
【００７５】
連動機構３３は、遊技盤４の裏面、すなわち台板１１の裏面と略平行且つ略水平に、その軸心を中心に回動可能に上下に並べて配設された軸部としての２本の軸部材（第１軸部材、第２軸部材）６１、６２と、第１軸部材６１と一体的に回動するように第１軸部材６１に設けられ、第１特別入賞口球通路５９において該第１特別入賞口球通路５９を流下する遊技球と当接し、該遊技球により初期位置から可動翼開位置まで回動される球当接部としての球当接部材６３と、第１可変入賞装置２７１、第２可変入賞装置２７２、第５可変入賞装置２７４及び第５可変入賞装置２７５のそれぞれと対応して各軸部材６１、６２と一体的に回動するように各軸部材６１、６２の径方向に突設され、対応する可変入賞装置２７の各翼開閉具３２の開放レバー３２ｈと当接し、該開放レバー３２ｈを押下するように配設された翼開閉具当接部材６４と、第２軸部材６２を第１軸部材６１と連動して回動させるように第１軸部材６１と第２軸部材６２とを連結する２本の棒状の連結部材６５と、球当接部材６３に設けられ、球当接部材６３を可動翼開位置から初期位置に向けて回動するように常時付勢する付勢手段としての錘６６とから構成されている。
【００７６】
ここで、第１軸部材６１は、第１可変入賞装置２７１及び第５可変入賞装置２７５のそれぞれに対応して設けられた２つの翼開閉具当接部材６４を有しており、これら２つの翼開閉具当接部材６４により上記２つの可変入賞装置２７１、２７５を開状態とし得るように配設されている。
また、第２軸部材６２は、第２可変入賞装置２７２及び第４可変入賞装置２７４のそれぞれに対応して設けられた２つの翼開閉具当接部材６４を有しており、これら２つの翼開閉具当接部材６４により上記２つの可変入賞装置２７２、２７４を開状態とし得るように配設されている。
【００７７】
また、第１軸部材６１及び第２軸部材６２はそれぞれ、断面が略Ｕ字形とされた樹脂製の棒材であり、断面を略Ｕ字形とすることによって十分な強度を確保しながらその軽量化を図ることが可能である。また、各軸部材６１、６２の両端には、各軸部材６１、６２の軸方向と平行に突出する突起６１ａ、６２ａが、各軸部材６１、６２の軸心から偏心させて設けられている。連結部材６５は両端部に、連結部材６５の長手方向と直交する方向、すなわち水平な方向に長い長孔６５ａを有しており、この長孔６５ａに各軸部材６１、６２両端の突起６１ａ、６２ａが遊嵌されて、各軸部材６１、６２が連動して回動するように連結している。
【００７８】
このように、各軸部材６１、６２両端の突起６１ａ、６２ａと、連結部材６５の長手方向と直交する方向に長い長孔６５ａとを係合させて、連結部材６５により各軸部材６１、６２を連結するものとすることによって、各軸部材６１、６２の径方向の遊びが大きい場合にも各軸部材６１、６２が連動してスムーズに回動するように連結することが可能となる。
即ち、上記構成によれば、軸部材６１、６２の突起６１ａ、６２ａと連結部材６５の長孔６５ａとの係合位置が水平方向に適宜移動し得ることにより、横断面がＵ字状とした軸部材６１、６２の支持機構として、真円の軸部材とは異なる余裕のある軸支構造が採られ、その軸支に遊びが大きく採られることとなって、軸部材６１、６２の回転軸心がブレても、軸部材６１、６２の突起６１ａ、６２ａが長孔６５ａ内でスライドして回転軸心のブレを吸収して回動を伝達させることが出来、以って、上下に配置された各軸部材６１、６２をスムーズに連動して回動させることが可能となるのである。
【００７９】
球当接部材６３は、下端部に錘取付部６３ａが突設され、球当接部材差入口５９ａに差し入れられる側の１辺６３ｂが円弧状とされた略方形且つ中空の厚板部材であり、その上面が第１特別入賞口球通路５９内で遊技球と当接する球当接面６３ｃとされている。ここで、球当接部材６３は、球当接面６３ｃ寄り且つ反１辺６３ｂ寄りの位置を第１軸部材６１の軸心が通るように第１軸部材６１と結合されている。
【００８０】
支持部材３０は、第１軸部材６１及び第２軸部材６２を回動可能に支持する軸受の一部である軸受基部６２ａが適宜位置に配設された枠状部材であり、裏板材２２に例えばビスを用いて固定される。軸受基部６２ａは、支持部材３０における配設間隔が一定ではなく、例えば第１軸部材６１の球当接部材６３の配設箇所、及び各軸部材６１、６２の翼開閉具当接部材６４の配設箇所を挟む両側において配設間隔が狭くされている。
【００８１】
カバー体４３は、各軸部材６１、６２を回動可能に支持する軸受の一部を構成する溝状部分４３ａが連動機構３３の各部材と対向する面に形成されており、溝状部分４３ａと支持部材３０の各軸受基部６２ａとが合わさって、各軸部材６１、６２を支持するものとされている。ここで、カバー体４３は、支持部材３０に例えばビスを使用して固定される。
【００８２】
また、カバー体４３は、球当接部材６３が初期位置から可動翼開位置に回動するときに球当接部材６３とカバー体４３とが干渉しないように球当接部材６３の配設位置において球当接部材６３の厚みよりも若干広い隙間４３ｂを空けて各軸部材６１、６２の軸方向に並べて配設される２つの分割体４３ｃ、４３ｄから構成されている。ここで、カバー体４３の各分割体４３ｃ、４３ｄの側端には、該側端から更に側方に突出させた板状部材を台板１１側に折り曲げるようにして、連結部材６５の突起６１ａからの抜け落ちを防止するための連結部材押え部４３ｅが設けられている。
【００８３】
錘６６は、本体６６ａがカバー体４３よりも上層側（反台板１１側）に配置されて球当接部材６３の錘取付部６３ａに取り付けられ、これにより球当接部材６３を可動翼開位置から初期位置に向けて回動させるように常時付勢するものとされている。
覆い部材（手段９にいう第２カバー体）６７は、カバー体４３の各分割体４３ｃ、４３ｄの隙間４３ｂを介して回動する球当接部材６３、及びこの球当接部材６３と一体的に回動する錘６６の回動スペースを確保しながら球当接部材６３及び錘６６を覆い隠すようにカバー体４３に設けられる箱状部材とされる。
【００８４】
以下、第１特別入賞口２８に遊技球が入球したときのパチンコ機１の動作を説明する。
（１）第１特別入賞口２８に遊技球が入球すると、該入球した遊技球が第１特別入賞口孔４７を介して第１特別入賞口球通路５９の最上端部に送られ、第１特別入賞口球通路５９内を流下する。
（２）第１特別入賞口球通路５９を流下する遊技球が、球当接部材差入口５９ａから第１特別入賞口球通路５９内部に差し入れられた球当接部材６３の当接面６３ｃに当接し、これより球当接部材６３が錘６６による付勢力に打ち勝って初期位置から可動翼開位置に回動する。
（３）球当接部材６３の回動により第１軸部材６１が球当接部材６３と一体的に回動し、これと同時に第１軸部材６１と連結部材６５により連結された第２軸部材６２が回動する。
【００８５】
（４）第１軸部材６１の回動により第１軸部材６１に設けられた２つの翼開閉具当接部材６４が回動し、このとき第１可変入賞装置２７１及び第５可変入賞装置２７５の各翼開閉具３２が閉位置にあれば、その翼開閉具３２の開放レバー３２ｈを翼開閉具当接部材６４が押下して、各可変入賞装置２７が開状態となる。これにより、第１可変入賞装置２７１及び第５可変入賞装置２７５が開状態となる。
（５）第２軸部材６２の回動により第２軸部材６２に設けられた２つの翼開閉具当接部材６４が回動し、このとき第２可変入賞装置２７２及び第４可変入賞装置２７４の各翼開閉具３２が閉位置にあれば、その翼開閉具３２の開放レバー３２ｈを翼開閉具当接部材６４が押下して、各可変入賞装置２７が開状態となる。これにより、第２可変入賞装置２７２及び第４可変入賞装置２７４が開状態となる。
この遊技球は、球当接部材６３に当接した後、これを通貨して更に流下をすると、前記球当接部材６３は遊技球から開放され、その錘６６によって原位置に回動し、復帰することなる。
【００８６】
（６）遊技球は、第１特別入賞口球通路５９内にて球当接部材６３に当接した後、更に流下を続け、球誘導路５９ｂにより第３可変入賞装置２７３まで誘導され、第３可変入賞装置２７３の翼開閉具３２の第１球当接部３２ｅに当接し、この翼開閉具３２が閉位置にあれば開位置まで回動させる。これにより、第３可変入賞装置２７３は開状態となる。
（７）上記の作動によって開き状態となった第１可変入賞装置２７１乃至第５可変入賞装置２７５は、その後に遊技領域に打ち込まれた遊技球が、その広げられた可動翼３１に受けとめられ、それぞれ、入賞率の高い状態での入球が順次実現される。
この遊技球の入球によって、前記可動翼３１は作動し、第１可変入賞装置２７１乃至第５可変入賞装置２７５は、順次閉じ状態に戻ることになる。
【００８７】
（その他の事項）
（１）カバー体４３を、各分割体４３ｃ、４３ｄからではなく一部材から構成し、球当接部材６３の回動スペースを確保するように、球当接部材６３の揺動範囲で通過する孔をその一部材から成るカバー体に設けてもよい。
【産業上の利用可能性】
【００８８】
以上のように、本発明は、特定の入賞口への入球と連動して複数の可変入賞装置を入球の容易な開状態とするための機械的な連動機構を備え、その連動機構が、外部から力を加えて可変入賞装置を不正に開状態とすることができ難いように構成されたところのパチンコ機等の遊技機に適している。
【図面の簡単な説明】
【００８９】
【図１】パチンコ機の正面図。
【図２】外枠に対して内枠と前面枠セットとセット板とを開放した状態を示す斜視図。
【図３】パチンコ機から前面枠セットを取り外した状態を示す内枠の正面図。
【図４】内枠の斜視図。
【図５】遊技盤の構成を示す正面図。
【図６】開状態の可変入賞装置の斜視図。
【図７】開状態の可変入賞装置の正面図（ａ）及び斜視図（ｂ）。
【図８】閉状態の可変入賞装置の斜視図。
【図９】閉状態の可変入賞装置の正面図（ａ）及び斜視図（ｂ）。
【図１０】可変入賞装置の分解斜視図。
【図１１】翼開閉具の正面図（ａ）、平面図（ｂ）及び左側面図（ｃ）。
【図１２】閉状態の翼開閉具及び可動翼の斜視図（ａ）及び開状態の翼開閉具及び可動翼の斜視図。
【図１３】開状態の可変入賞装置の横断面図（ａ）及び閉状態の可変入賞装置の横断面図（ｂ）。
【図１４】遊技盤裏側の分解図。
【図１５】連動機構の球当接部材が初期位置にあり且つカバー箱体を取り外した遊技盤裏側の斜視図。
【図１６】連動機構の球当接部材が可変入賞装置開位置にあり且つカバー箱体を取り外した遊技盤裏側の斜視図。
【図１７】連動機構の球当接部材が初期位置にあり且つカバー体を取り外した遊技盤裏側の斜視図。
【図１８】連動機構の球当接部材が可動翼開位置にあり且つカバー体を取り外した遊技盤裏側の斜視図。
【図１９】連動機構の球当接部材が初期位置にあり且つカバー体を取り外した遊技盤裏側の正面図。
【符号の説明】
【００９０】
１：パチンコ機
４：遊技盤
２２：裏板材
２７：可変入賞装置
２８：第１特別入賞口２８
２９：第２特別入賞口２９
３０：支持部材
３１：可動翼
３２：翼開閉具
３２ｈ：開放レバー
３３：連動機構
４３：カバー体
５９：第１特別入賞口球通路
６１：第１軸部材
６２：第２軸部材
６３：球当接部材
６４：翼開閉具当接部材
６５：連結部材
６６：錘
６７：覆い部材
【図１】
2008110094.tif 000003
【図２】
2008110094.tif 000004
【図３】
2008110094.tif 000005
【図４】
2008110094.tif 000006
【図５】
2008110094.tif 000007
【図６】
2008110094.tif 000008
【図７】
2008110094.tif 000009
【図８】
2008110094.tif 000010
【図９】
2008110094.tif 000011
【図１０】
2008110094.tif 000012
【図１１】
2008110094.tif 000013
【図１２】
2008110094.tif 000014
【図１３】
2008110094.tif 000015
【図１４】
2008110094.tif 000016
【図１５】
2008110094.tif 000017
【図１６】
2008110094.tif 000018
【図１７】
2008110094.tif 000019
【図１８】
2008110094.tif 000020
【図１９】
2008110094.tif 000021